(57)【特許請求の範囲】
【請求項１】
所定方向に沿って延伸して外筒内空間を囲むと共に、前記所定方向における一端に前記外筒内空間と連通する第１の外筒開口を有し、且つ該一端のある一側が第１の接続端部となるように形成された外筒と、
前記所定方向に沿って延伸して内筒内空間を囲むと共に、前記所定方向における一端部が第２の接続端部になっており、該第２の接続端部を先端に前記第１の外筒開口から前記外筒内空間に往復摺動可能に挿入されることができるように形成された内筒と、
前記内筒の前記第２の接続端部に回動可能に取り付けられている液体濾過のための濾過手段であって、濾過空間となる中空を有するように形成されているハウジングと、該濾過空間に詰まっている濾過材とを有する濾過手段とを備えており、
前記第２の接続端部の内周面に、少なくとも１つの第１の連通孔が開けられた平板状であって、前記内筒内空間を上下両空間に仕切る仕切り板が固定されており、
前記ハウジングは、前記下空間において前記仕切り板と当接しており、且つ、該当接している面に、前記濾過手段の回転により移動されて前記第１の連通孔と対面して前記上空間と前記中空とを連通させる第２の連通孔が開けられており、また、前記外筒側に臨む面に、液体を前記外筒から前記中空に導入するための第３の連通孔が開けられており、
且つ、前記内筒を、前記第２の接続端部の側から、前記濾過手段と共に、前記所定方向に沿って前記第１の外筒開口を経て前記外筒内空間へ押し込むと、前記外筒内空間に充填された液体が前記濾過手段により濾過された後に前記内筒内空間に浸入して収容されることができ、
前記濾過手段は、前記第２の接続端部に対応して、前記外筒内空間に充填された液体が該濾過手段を経由して前記内筒内空間に浸入することができる連通状態と、できない阻止状態との間に切り替えることができるように構成されている、ことを特徴とする濾過機能付き携帯用飲料容器。
【請求項２】
前記内筒における前記第２の接続端部の外周面に、前記内筒が前記外筒内空間へ挿し込まれる時、前記内筒の外周面と前記外筒の内周面との間にある隙間を封止することができる水密リングが取り付けられている、ことを特徴とする請求項１に記載の濾過機能付き携帯用飲料容器。
【請求項３】
前記外筒は、前記第１の外筒開口の反対側に第２の外筒開口を有する円筒体であり、該第２の外筒開口に第２の封止蓋が螺接されており、
前記内筒は、前記第２の接続端部の方にあって前記濾過手段が取り付けられている一端に開いた第１の内筒開口と、該第１の内筒開口の反対側にある第２の内筒開口とを有する円筒体であり、前記第２の内筒開口に第１の封止蓋が螺接されている、ことを特徴とする請求項１または請求項２に記載の濾過機能付き携帯用飲料容器。
【請求項４】
前記第２の接続端部に固定リングが螺接されており、
前記濾過手段は、前記仕切り板と前記固定リングの間に挟まれることによって回転摺動可能に前記第２の接続端部内に嵌めこまれる、ことを特徴とする請求項３に記載の濾過機能付き携帯用飲料容器。
【請求項５】
前記第２の接続端部は、該第２の接続端部の下端から上方に向かって前記所定方向と平行に切り込んでから前記所定方向と垂直の方向に分岐してそれぞれ延伸する切欠を更に有しており、
前記濾過手段は、数量が前記切欠に対応する突起を有しており、
前記突起が前記切欠に嵌められ係止されることにより、前記第２の接続端部と前記濾過手段とが回転摺動可能に固定される、ことを特徴とした請求項４に記載の濾過機能付き携帯用飲料容器。
【請求項６】
前記濾過手段に、前記濾過手段が前記連通状態にあるか否かを表示するマークが標記されている、ことを特徴とする請求項４または請求項５に記載の濾過機能付き携帯用飲料容器。
【発明の詳細な説明】
【技術分野】
【０００１】
本発明は、容器に関し、特に濾過機能が付き携帯にも適した飲料容器に関する。
【背景技術】
【０００２】
濾過機能を持った飲料水容器としては、特許文献１に示したような濾過機能つきポットがあるが、濾過方法としては水自身の重力を利用したいわゆる自然濾過であり、濾過速度が遅く、未濾過の水を注入してもすぐには濾過済みの水を得られるものではない。またポットとして発案されているものなので、携帯利便性に劣り、例えば一般のコップのようにそのまま口をつけて飲むような飲料容器として用いられるものではない。
【０００３】
濾過機能を持った飲料水容器としてはまた、特許文献２に示したような容器の口にフィルターが取り付けられており、容器を外部から加圧することにより容器の中の液体を加圧し液体を押し出すようにして、濾過速度を速めることができるようにした物があるが、容器に外部から直接圧力を与えるという構造上、加圧には限界があり、濾過速度の向上も顕著なものではなかった。また、濾過した液体を容器の外部に放出するので、飲用には別の容器を準備する必要がある。更に、飲料水ではなく、例えばお茶やジュースなどの飲料の容器として使用したい場合には、そのまま注入すると濾材の濾過機能を損ねてしまうので、容器からフィルターをその都度取り外す必要があり、水以外の飲料を飲むための通常のコップとしての使用に適した構造になっているとは言えない。
【先行技術文献】
【特許文献】
【０００４】
【特許文献１】台湾実用新案登録第Ｍ３３８６１８号公報
【特許文献２】国際公開第２０１１／１００５９７（ＷＯ，Ａ２）
【発明の概要】
【発明が解決しようとする課題】
【０００５】
上記問題点に鑑み、本発明は、注入した水をすぐに飲用に供せるよう濾過速度が向上され、且つそのまま飲料容器として用いることができ、また水以外の飲料の収容にも適した濾過機能付き携帯用飲料容器の提供を課題とした。
【課題を解決するための手段】
【０００６】
本発明は、上記課題を解決するために、以下の手段を用いた。
すなわち、本発明の濾過機能付き携帯用飲料容器は、外筒と、この外筒に挿入できる内筒と、さらに濾過手段を有する。
【０００７】
ここで、前記外筒は、所定方向に沿って延伸して外筒内空間を囲むと共に、前記所定方向における一端に前記外筒内空間につながる第１の外筒開口を有し、且つ該一端のある一側が第１の接続端部となるように形成されている。
【０００８】
また、前記内筒は、前記所定方向に沿って延伸して内筒内空間を囲むと共に、前記所定方向における一端部が第２の接続端部になっていて、この第２の接続端部を先端にして前記第１の外筒開口を経て前記外筒内空間に往復摺動可能に挿入することができるように形成されている。
【０００９】
また、前記濾過手段は液体濾過のためのものであり、前記内筒の前記第２の接続端部に取り付けられている。
【００１０】
以上の構成で、前記内筒を、前記第２の接続端部を先端として、前記濾過手段と共に、前記所定方向に沿って前記第１の外筒開口を経て前記外筒内空間へ押し込めると、前記外筒内空間に充填された液体が前記濾過手段により濾過された後に前記内筒内空間に浸入して収容されることができる。
【００１１】
また本発明において、前記内筒が前記外筒内空間内へ挿し込まれた際に、前記内筒の外周面と前記外筒の内周面との間にある隙間を封止することができる水密リングを、前記内筒における前記第２の接続端部の外周面に取り付けることが好ましい。
【００１２】
また本発明において、前記外筒は、前記第１の外筒開口の反対側に第２の外筒開口を有する円筒体であり、該第２の外筒開口に第２の封止蓋がねじ機構により着脱自在に取り付けられていることが好ましく、同様に、前記内筒は、前記第２の接続端部の方にあって前記濾過手段が取り付けられている一端に開いた第１の内筒開口と、その反対側にある第２の内筒開口とを有する円筒体であり、前記第２の内筒開口に第１の封止蓋がねじ機構により着脱自在に取り付けられていることが好ましい。
【００１３】
また本発明において、前記濾過手段は、前記第２の接続端部に対して回転摺動ができるように取り付けられていると共に、前記第２の接続端部に対応して、つまり前記濾過手段と前記第２の接続端部の位置関係によって、前記外筒内空間に充填された液体が該濾過手段を通って前記内筒内空間に浸入することができる連通状態と、できない阻止状態との間に切り替えることができるように構成されていることが好ましい。
【００１４】
さらに本発明において、前記第２の接続端部の内周面に、前記内筒内空間を上下両空間に仕切る仕切り板が固定されており、この仕切り板は少なくとも１つの第１の連通孔が開けられた平板状であって、前記濾過手段は、濾過空間となる中空を有するように形成されているハウジングと、該濾過空間に詰まっている濾過材とを有しており、前記ハウジングは、前記下空間、つまり前記仕切り板より下の空間で前記仕切り板と当接しており、且つ、この当接している面に、前記濾過手段の回転により移動されて前記第１の連通孔と対面して前記上空間と前記中空とを連通させる第２の連通孔が開けられており、また、その反対側である前記外筒側に臨む面には、液体を前記外筒から前記中空に導入するための第３の連通孔が開けられていることが好ましい。
【発明の効果】
【００１５】
以上の構成により、本発明に係る濾過機能付き携帯用飲料容器は、濾過手段に液体が浸入できる連通状態に切り替えれば、内筒を外筒内に押し込むことにより、外筒内空間に充填された液体を押圧しこれを押し出すように濾過手段を通過させることができるので、濾過速度を顕著に速めることができる。
【００１６】
また、本発明に係る濾過機能付き携帯用飲料容器は、濾過手段に液体が浸入しない阻止状態に切り替えれば、内筒内空間に飲料を注ぎいれても濾過材に影響しないので、濾過手段をいちいち取り外さなくても、水または水以外の飲料を入れる飲料容器として用いることもできる。
【図面の簡単な説明】
【００１７】
【図１】本発明に係る濾過機能付き携帯用飲料容器の外観構成を示す斜視図である。
【図２】本発明の第１の実施例を示す分解斜視図である。
【図３】本発明の第１の実施例における濾過手段の透視図である。
【図４】本発明の第１の実施例における濾過手段の別の形態を示す透視図である。
【図５】本発明の第１の実施例における使用状態を示す斜視図である。
【図６】本発明の第１の実施例における使用状態を示す斜視図である。
【図７】本発明の第１の実施例における使用状態を示す斜視図である。
【図８】本発明の第１の実施例における使用状態を示す斜視図である。
【図９】本発明の第２の実施例を示す斜視図である。
【図１０】本発明の第２の実施例を示す分解斜視図である。
【発明を実施するための形態】
【００１８】
以下、添付図面を参照して、本発明の実施形態について詳しく説明する。なお文中に用いた方向を示す語は、図面と合わせて説明を明瞭にするため便宜的に用いたものであり、発明を限定する意図を持つものではない。
【００１９】
（実施例１）
図１と図２は本発明に係る濾過機能付き携帯用飲料容器の第１の実施例を示している。
本発明に係る濾過機能付き携帯用飲料容器は、内筒１、水密リング２、第１の封止蓋３、濾過手段４、外筒５及び第２の封止蓋６を備えている。
【００２０】
内筒１は所定方向に延伸する円筒体として形成されており、一端、図示においては下端に内筒１より窄まって延伸するように形成された第２の接続端部１８が設けられている。内筒１の下端、即ち第２の接続端部１８の下端には第１の内筒開口１１が開口しており、その反対の端、つまり内筒１の上端には第２の内筒開口１２が開口している。また、内筒１の第２の内筒開口１２近くの外周面には第１のねじ機構１５が設けてあり、さらに第１のねじ機構１５の下には複数の第１のスナップ１６（本実施例では４つ）がそれぞれ均等な間隔を置いて内筒１の外周面に突設されている。
【００２１】
水密リング２は、第２の接続端部１８の外周面に周設されており、外径が外筒５の内径とほぼ一致するように形成されているので、内筒１を外筒５に挿入した時に、外筒５の内周面を摺動でき且つ内筒１の外周面と外筒５の内周面との間にできる隙間を水密的に封止することができる。
【００２２】
第１の封止蓋３は、内筒１に取り付けた際に第２の内筒開口１２を封止してさらに水密性を持たせられるように、内筒１の第１のねじ機構１５と接合することができる第２のねじ機構３１を備えている。
【００２３】
濾過手段４は、内筒１の第２の接続端部１８に着脱可能に取り付けられるハウジング４１から構成されている。
【００２４】
第２の接続端部１８は更に、仕切り板１３と、本実施例においては複数の切欠１４（本実施例では２つ）とを有している。
【００２５】
仕切り板１３は平板状であり、所定方向と直交し内筒１の筒内空間を上下に仕切るように第２の接続端部１８の内周面に固定されており、これにより仕切られた上の空間、つまり内筒１の筒内における第２の内筒開口１２から仕切り板１３までの空間に、液体を収容することができる内筒内空間１７が画成されている。また、これら上下の空間を連通させるように仕切り板１３には第１の連通孔１３１が設けられている。なお第１の連通孔１３１を本実施例では図示のように４つ設けたが、４つに限らず、少なくとも１つ設ければよい。
【００２６】
切欠１４は第２の接続端部１８の図示における下端、つまり第２の接続端部１８の外筒５に面する端に切り込まれた切欠であり、形状としては第２の接続端部１８の下端から上方に向かって所定方向と平行に切り込んでから左右それぞれに略直角に折れ曲がるように、つまり所定方向と垂直の方向に分岐してそれぞれ延伸し、正面視でＴ字型を呈しており、互いに向かい合うように設けられている。
【００２７】
濾過手段４は、濾過空間となる中空を内部に有するハウジング４１を有し、ハウジング４１の上面には数量と形状と位置が第１の連通孔１３１と対応する第２の連通孔４１１が、下面には第３の連通孔４１２（本実施例においては１つ）がそれぞれ貫設されている。なお、各連通孔の数量は上記に示した数量でなくてもかまわない。
【００２８】
また、各第２の連通孔４１１には第２の網状部材４２が、第３の連通孔４１２には第３の網状部材４４が、それぞれの孔に対応してこれを覆うように張設されている。
【００２９】
ハウジング４１はまた内部にハウジング内仕切り板４３と濾過材（図示せず）を有している。また、本実施例においてはハウジング４１の底部に近い外周面に数量と位置が切欠１４に対応する突起４１３が更に設けられている。
【００３０】
これら切欠１４と突起４１３は、互いに係止することにより濾過手段４を第２の接続端部１８に回転摺動可能に取り付けるためのものである。具体的に説明すると、濾過手段４側にある突起４１３を第２の接続端部１８側にある切欠１４に所定方向に沿って嵌め入れ、さらに回転させて切欠１４の一部である所定方向と垂直の方向への切欠に嵌め入れると、ハウジング４１と仕切り板１３とが密接しながらも回転摺動できるように、濾過手段４が第２の接続端部１８に取り付けられる。
【００３１】
また、この状態において、突起４１３を回して濾過手段４を共に回転させて位置を調整することにより、仕切り板１３の第１の連通孔１３１とハウジング４１の第２の連通孔４１１とが互いに対面する位置に合わせると、仕切り板１３により隔てられた上下の空間を液体が流通することができる連通状態となり、対面しない位置に合わせると、液体が流通することができない阻止状態となる。
【００３２】
上記の構成により、濾過手段４は、切欠１４に嵌められた突起４１３を回すことで、上記連通状態と上記阻止状態との間を容易に切り替えることができる。
【００３３】
外筒５は、所定方向に延伸する円筒体であり、内筒１に挿入されて内筒１と互いに往復摺動可能になるように、内径が内筒１よりも大きく形成されている。
【００３４】
外筒５はまた図示における上方、つまり内筒１に挿入される側に第１の外筒開口５１を、またその反対側、図示における下方に第２の外筒開口５２をそれぞれ有している。さらに第１の外筒開口５１側には内筒１と接続する端部となる第１の接続端部５６が、また第２の外筒開口５２付近には第３のねじ機構５４がそれぞれ設けられている。
【００３５】
第１の接続端部５６の内周面には形状と位置と数量とが第１のスナップ１６と対応する第２のスナップ５３が内周面の一部を窪めるように凹設されており、これら第１と第２のスナップ１６、５３は、内筒１のほぼ全体が外筒５に挿入された時に嵌合して係止することにより、内筒１と外筒５を係止できるようになっている。
【００３６】
また、外筒５筒内においては、内筒１における第２の接続端部１８の外周面に周設されている水密リング２が、内筒１の外周面と外筒５の内周面との間にできる隙間を封止していることにより、第２の外筒開口５２から水密リング２の間に、外筒５と内筒１の摺動具合によって容量が変わる外筒内空間５５が画成されている。
【００３７】
第２の封止蓋６は外筒５に取り付けられた際に第２の外筒開口５２を封止してさらに水密性を持たせられるように外筒５の第３のねじ機構５４と接合できる第４のねじ機構６１を有している。
【００３８】
第２の封止蓋６はさらに底面にダイヤルユニット６２が設けられており、ダイヤルユニット６２はリング状の数字盤６２１、数字盤６２１の中心に設けられた回転盤６２２、回転盤６２２の中心に設けられた溝６２３からなっている。回転盤６２２を例えば指で押し回すことにより溝６２３の一端を数字盤６２１に標記されている任意の数字の位置に合わせることができ、これにより例えば濾過手段４の使用開始時期或いは有効期限などを記録することができる。また、どの数字を指し示しているのかわかりやすくするために溝６２３の一端に色を付けてもよい。
【００３９】
続いて、図３と図４を参照に濾過手段４の内部構造を更に詳しく説明する。
ハウジング内仕切り板４３は、第２の連通孔４１１及び第３の連通孔４１２の態様に応じて、且つ濾過材の種類や特性に応じて設けられるもので、例えば図３のように、ハウジング内仕切り板４３の外周をハウジング４１の内周に当接させるように形成されてもよく、また隙間を空けるように形成されてもよい。なお図面では説明の便宜上濾過材を図示していないが、本実施例においてはハウジング内仕切り板４３の上下にそれぞれ濾過材が詰められており、例えば図４のように、非透水性樹脂膜をハウジング内仕切り板４３として用いても構わない。更に濾過材も一種類だけではなく複数種用いてもよく、例えばその内の一種にメッシュフィルターを用いて、メッシュフィルターの一面を第３の連通孔４４に貼り付け、他の面をハウジング内仕切り板４３に貼り付け、さらに空いているハウジング４１内の空間に別の種類の濾過材を詰めてもよい。また、濾過材としては顆粒状のものを用いても構わない。
【００４０】
以下に本発明に係る濾過機能付き携帯用飲料容器の使用方法を、図５から図８を参照に説明する。
【００４１】
濾過機能を使用せず飲料容器として本発明の容器を使用する場合には、図５に示すように、内筒１のほぼ全体が外筒５に挿入された状態において、まず第２の封止蓋６を取り外し濾過手段４を露出させ、切欠１４に嵌めた突起４１３を回すことにより濾過手段４を上記阻止状態となる位置に合わせた後、一度取り外した第２の封止蓋６を外筒５に再び取り付ける。それから第１の封止蓋３を取り外して、内筒１の内筒内空間１７に飲料を注ぎ入れれば、本発明の容器をそのまま飲料容器として飲用に供することができる。
【００４２】
濾過機能を使用する飲料容器として本発明の容器を使用する場合には、内筒１のほぼ全体が外筒５に挿入された状態において、まず第２の封止蓋６を取り外し濾過手段４を露出させ、切欠１４に嵌めた突起４１３を回すことにより濾過手段４を上記連通状態となる位置に合わせた後、図６に示すように内筒１と外筒５をそれぞれ相対方向に引っ張ると、外筒５の筒内に外筒内空間５５が画成される。この外筒内空間５５に例えば水道水などの液体を注入し、再び第２の封止蓋６を装着してから、内筒１側が上方になるように容器を反転させる。なお、この時、第１の封止蓋３を少し回し緩めておくのが好ましく、これは後に続く過程である濾過を行う際に内筒内空間１７内の空気を外部に逃がすことができるようにするためである。続いて、図７に示すように、内筒１を外筒５の方向、図示では下方に押し込む。すると、水密リング２と第２の封止蓋６により密封状態となっている外筒内空間５５内の液体は内筒１に押され、この押圧によって押し出されるように外筒内空間５５内の液体がハウジング４１の第３の連通孔４１２からハウジング４１内に入り、濾過材を通過した後さらに第２の連通孔４１１と、これに連通している仕切り板１３の第１の連通孔１３１をそれぞれ通り抜けて、内筒内空間１７に至る。押し込まれた内筒１のほぼ全体が外筒５内に挿入されると、図８に示す状態となり、この時、外筒内空間５５内にあった液体はすべてハウジング４１内を経由して濾過済み液体となって内筒内空間１７に収容されたこととなり、つまり濾過が完了したことになる。また、第１の封止蓋３を取り外せば、内筒内空間１７に収容されている濾過済み液体をそのまま飲用できる。
【００４３】
以上のように、本発明の濾過機能付き携帯用飲料容器は、上記の阻止状態と連通状態とを濾過手段４を回転させて位置を調整することにより簡単に切り替えることができる。
【００４４】
そして、本発明の濾過機能付き携帯用飲料容器は、濾過手段４を液体が流通しない阻止状態にすれば、内筒内空間１７に飲料を注ぎ入れても、注がれた飲料がハウジング４１内には浸入しないようにすることができるので、水以外の飲料、例えばコーヒーやジュース等を注いでもハウジング４１内の濾過材に影響を与えず、ハウジング４１を取り外さなくても、水または水以外の飲料を入れる飲料容器としてそのまま用いることができる。
【００４５】
また、本発明に係る濾過機能付き携帯用飲料容器は、濾過手段４を液体が流通できる連通状態にすれば、内筒１を外筒５内に押し込むことにより、外筒内空間５５に充填された液体を押圧してこれを押し出すように濾過手段４を通過させることができるので、濾過速度を顕著に速めることができる。
【００４６】
（実施例２）
図９及び図１０は本発明に係る濾過機能付き携帯用飲料容器の第２の実施例を示しており、第１の実施例との主な違いは、内筒１の第２の接続端部１８と、濾過手段４の形状及び構成を変えた点である。
【００４７】
第２の接続端部１８は、第１の実施例と同じく仕切り板１３（図示せず）を有しており、加えて第５のねじ機構１９が第１の内筒開口１１に近い外周面に設けられており、さらにこの第５のねじ機構１９と螺接できる固定リング７を有している。なお本実施例においては、第２の接続端部１８は切欠１４を有していない。
【００４８】
固定リング７は、外輪７１と、外輪７１の下端から繋がり輪の軸心方向に延伸するように形成された環状板７２とからリング状に形成されており、環状板７２の内径は外輪７１の内径より小さい。固定リング７はまた中心に、環状板７２の中心孔である円状孔７３を有しており、この円状孔７３は第１の内筒開口１１と連通している。
【００４９】
外輪７１は、内筒１の第５のねじ機構１９と螺接できる第６のねじ機構７１１を有している。
【００５０】
環状板７２の下面には、仕切り板１３とこれに密接しながらも回転摺動できるハウジング４１の位置関係により、第１の連通孔１３１と第２の連通孔４１１との位置が対応し仕切り板１３の上下空間が連通する連通状態となる位置に連通位置マーク７２１が、そして逆に、第１の連通孔１３１と第２の連通孔４１１との位置が対応せず仕切り板１３の上下空間が連通しない阻止状態となる位置に阻止位置マーク７２２がそれぞれ標記されている。なお、図示においては各マークに三角形を用いているが、マークの形状はこれに限らず、視認しやすいものであればよい。
【００５１】
ハウジング４１は、本実施例においては図示における上方、つまり第２の接続端部１８に取り付けられた際に仕切り板１３に面する側から順に、第１筐体部４１４と、直径が第１筐体部４１４より窄まって第１筐体部４１４から延伸する第２筐体部４１５とから構成されている。第１筐体部４１４の上面には第２の連通孔４１１が、第２筐体部４１５の下面には第３の連通孔４１２がそれぞれ貫設されている。さらに第２筐体部４１５の外周面には指示マーク４１６が標記されている。第２の連通孔４１１と第３の連通孔４１２の間には第１の実施例と同じようにハウジング内仕切り板４３が設けられている。
【００５２】
また、固定リング７の大きさとしては、外輪７１の直径が第１筐体部４１４の直径より大きく且つ水密リング２の直径より小さく形成されており、円状孔７３の直径が第２筐体部４１５の直径より大きく且つ第１筐体部４１４の直径より小さく形成されている。
【００５３】
上記の構成によれば、ハウジング４１の第２筐体部４１５が固定リング７の円状孔７３に通されると共に、第１筐体部４１４が固定リング７の環状板７２に係止されることにより、ハウジング４１が仕切り板１３（図示せず）と環状板７２の間に回転摺動可能に固定される。濾過手段４は本実施例においてはこれにより第２の接続端部１８に取り付けられる。また、ハウジング４１を回転させる際には円状孔７３から突き出て露出している第２筐体部４１５をつまみとして用いることができる。
【００５４】
なお、連通位置マーク７２１、阻止位置マーク７２２、指示マーク４１６はそれぞれ視認しやすいように異なる色で色分けしてもよく、例えば連通位置マーク７２１を緑で、阻止位置マーク７２２を赤で示すと識別しやすい。
【００５５】
また、上記配置とは逆に、第２筐体部４１５の外周面に連通位置マーク７２１及び阻止位置マーク７２２を、環状板７２に指示マーク４１６をそれぞれ標記してもよい。さらに、第１の連通孔１３１と第２の連通孔４１１をそれぞれ１つずつだけ設けた場合は、連通位置マーク７２１と指示マーク４１６だけを標記し、両マークが重なる位置にハウジング４１が回転された時に、第１の連通孔１３１と第２の連通孔４１１とが連通状態になるよう配置してもよい。
【００５６】
上述したように第２の実施例が第１の実施例と異なる主な点は第２の接続端部１８に、濾過手段４を取り付けるための手段にあり、その他の構造及び使用方法に関しては第１の実施例と同様である。
【００５７】
加えて他の変化例として、本発明に係る濾過機能付き携帯用飲料容器は、例えば内筒１を第２の内筒開口１２側が窄まるように形成し、第１の封止蓋３もこれに対応するように小さいものにすれば、一般のペットボトルのような形状にすることもできる。また内筒１の外周を二層構造にして、二層間を真空にすれば更に保温機能を持たせることもでき、さらに全体の寸法を大きくすれば飲料を溜め置く容器、いわゆるピッチャーとして使用することもできる。
【００５８】
以上、本発明を、最も好ましい実施例に即して説明してきたが、本発明は上記実施例には限定されず、最も広い解釈の範囲に含まれる種々の変更、並びに均等な変更を網羅することを意図していると理解されなければならない。
【符号の説明】
【００５９】
１    内筒
１１    第１の内筒開口
１２    第２の内筒開口
１３    仕切り板
１３１    第１の連通孔
１４    切欠
１５    第１のねじ機構
１６    第１のスナップ
１７    内筒内空間
１８    第２の接続端部
１９    第５のねじ機構
２    水密リング
３    第１の封止蓋
３１    第２のねじ機構
４    濾過手段
４１    ハウジング
４１１    第２の連通孔
４１２    第３の連通孔
４１３    突起
４１４    第１筐体部
４１５    第２筐体部
４１６    指示マーク
４２    第２の網状部材
４３    ハウジング内仕切り板
４４    第３の網状部材
５    外筒
５１    第１の外筒開口
５２    第２の外筒開口
５３    第２のスナップ
５４    第３のねじ機構
５５    外筒内空間
５６    第１の接続端部
６    第２の封止蓋
６１    第４のねじ機構
６２    ダイヤルユニット
６２１    数字盤
６２２    回転盤
６２３    溝
７    固定リング
７１    外輪
７１１    第６のねじ機構
７２    環状板
７２１    連通位置マーク
７２２    阻止位置マーク
７３    円状孔
【図１】
0005513475.tif 000002
【図２】
0005513475.tif 000003
【図３】
0005513475.tif 000004
【図４】
0005513475.tif 000005
【図５】
0005513475.tif 000006
【図６】
0005513475.tif 000007
【図７】
0005513475.tif 000008
【図８】
0005513475.tif 000009
【図９】
0005513475.tif 000010
【図１０】
0005513475.tif 000011